(57)【要約】【課題】  本発明の課題は、貸出品を所持している利用者の行動を容易に把握できる貸出管理システムおよび方法を提供することである。【解決手段】  貸出品を特定する情報を含む貸出データを作成して、送信する貸出品保管庫と、受信した貸出データを記録して、送信するＩＣカードと、受信した貸出データを用いて、入退場門を通過した時刻と貸出品を特定する情報とを含む通過管理データを作成して、送信する入退場門管理装置と、カメラを特定する情報を含む映像データを作成して、送信するネットワークカメラと、所望の貸出品を特定する情報を持つ通過管理データを選択して、入退場門を特定する情報とカメラを特定する情報とを対応付けた対応表を参照して、所望の貸出品が通過した入退場門の映像データを、抽出して、入退場門の通過時刻から、次の入退場門を通過する時刻までを、再生する管理サーバ装置と、から構成される映像を用いる貸出管理システムである。【選択図】  図１
2008009974.tif 000002
【特許請求の範囲】
【請求項１】
入退場門管理装置とネットワークカメラと管理サーバ装置とがネットワーク接続されて、接触型、または、非接触型ＩＣカードと、貸出品保管庫と、から構成される映像を用いる貸出管理システムにおいて、
前記貸出品保管庫は、貸出品を特定する情報を含む貸出データを作成する貸出データ作成手段と、ＩＣカードに、作成した貸出データを送信するＩＣカード書込手段と、を備える保管庫であって、
前記ＩＣカードは、貸出品保管庫から、貸出データを受信して、記録する貸出データ記録手段と、前記記録された貸出データを入退場門管理装置に送信する貸出データ送信手段と、を備えるカードであって、
前記入退場門管理装置は、貸出データ送信要求を発行して、ＩＣカードから、貸出データを受信するＩＣカード読取手段と、受信した貸出データを用いて、入退場門を特定する情報と通過時刻と貸出品を特定する情報とを含む通過管理データを作成する通過管理データ作成手段と、通過管理データを、管理サーバ装置に送信する通過管理データ送信手段と、を備える管理装置であって、
前記ネットワークカメラは、所定位置における画像を撮像して、画像データを画像メモリに記録する撮像手段と、画像メモリの画像データを取り出して、カメラを特定する情報を含む映像データを、作成する映像データ作成手段と、映像データを、管理サーバ装置に送信する映像データ作成送信手段と、を備えるカメラであって、
前記管理サーバ装置は、入退場門を特定する情報とカメラを特定する情報とを対応付けた対応表を記憶する記憶手段と、カメラを特定する情報を含む映像データを、ネットワークカメラから受信して、記録する映像データ受信手段と、通過管理データを、入退場門管理装置から受信して、記録する通過管理データ受信手段と、所望の貸出品を特定する情報の入力を受け付けて、通過管理データを参照して、所望の貸出品を特定する情報を持つ通過管理データを選択する通過管理データ選択手段と、対応表を参照して、前記選択された通過管理データの入退場門を特定する情報に対応するカメラを特定する情報を選択して、これを持つ映像データを、記録された映像データから、抽出する映像データ抽出手段と、前記抽出された映像データを、前記選択された通過管理データの通過時刻から、直後の通過管理データの通過時刻までを、再生する映像データ再生手段と、を備えるサーバ装置であることを特徴とする映像を用いる貸出管理システム。
【請求項２】
ＩＣカードと、入退場門を特定する情報とカメラを特定する情報とを対応付けた対応表と、を利用する、映像を用いた貸出管理方法であって、
貸出品を特定する情報を含む貸出データを作成して、ＩＣカードに記録する貸出データ作成記録ステップと、
ＩＣカードの貸出データを用いて、入退場門を特定する情報と通過時刻と貸出品を特定する情報とを含む通過管理データを作成する通過管理データ作成ステップと、
カメラを特定する情報を含む映像データを、作成して、記録する映像データ作成記録ステップと、
通過管理データを参照して、所望の貸出品を特定する情報を持つ通過管理データを選択する通過管理データ選択ステップと、
対応表を参照して、前記選択された通過管理データの入退場門を特定する情報に対応するカメラを特定する情報を選択して、これを持つ映像データを、記録された映像データから、抽出する映像データ抽出ステップと、
前記抽出された映像データを、前記選択された通過管理データの通過時刻から、直後の通過管理データの通過時刻までを、再生する映像データ再生ステップと、
を含んだ手順でなされることを特徴とする映像を用いる貸出管理方法。
【請求項３】
コンピュータに組込むことによって、コンピュータを請求項１に記載の映像を用いる貸出管理システムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、貸出品を所持している利用者の行動を撮影した映像を用いる貸出管理システム、および、その方法に関するものである。
【背景技術】
【０００２】
従来から、ＩＣカードを用いて、貸出品（たとえば、重要文書）の管理が行われている。
【０００３】
たとえば、特許文献１では、ＩＣカードを用いて認証を行ったときに、認証を受けた利用者の映像を画像サーバ装置に記録する技術が開示されている。（従来技術１）特許文献２では、ＩＣカードを用いて装置利用の認証を行ったときに、ＩＣカードに記録された利用者の映像と、端末装置を利用しているときの利用者の映像を比較して、本人確認をする技術が開示されている。（従来技術２）
【特許文献１】特開２００１−１０１３５９号公報（３〜４ページ、図３、４）
【特許文献２】特開平１０−２２２４７０号公報（４〜５ページ、図５、６）
【発明の開示】
【発明が解決しようとする課題】
【０００４】
ところで、従来技術１では、認証以降の行動を映像で把握できないという欠点があった。また、従来技術２では、認証された正当な利用者が不正行為を行っても、これを把握できないという問題点があった。たとえば、図書室で、禁帯出の重要文書を貸し出した利用者が、複写機で、禁止された複写行為を行っても、これを発見することはきないという問題点があった。
【０００５】
本発明はこのような従来技術を考慮してなされたものであって、本発明の課題は、貸出品を所持している利用者の行動を容易に把握できる貸出管理システム、および、その方法を提供することである。
【課題を解決するための手段】
【０００６】
本発明は、以下のような解決手段により、前記課題を解決する。すなわち、請求項１の発明は、入退場門管理装置とネットワークカメラと管理サーバ装置とがネットワーク接続されて、接触型、または、非接触型ＩＣカードと、貸出品保管庫と、から構成される映像を用いる貸出管理システムにおいて、前記貸出品保管庫は、貸出品を特定する情報を含む貸出データを作成する貸出データ作成手段と、ＩＣカードに、作成した貸出データを送信するＩＣカード書込手段と、を備える保管庫であって、前記ＩＣカードは、貸出品保管庫から、貸出データを受信して、記録する貸出データ記録手段と、前記記録された貸出データを入退場門管理装置に送信する貸出データ送信手段と、を備えるカードであって、前記入退場門管理装置は、貸出データ送信要求を発行して、ＩＣカードから、貸出データを受信するＩＣカード読取手段と、受信した貸出データを用いて、入退場門を特定する情報と通過時刻と貸出品を特定する情報とを含む通過管理データを作成する通過管理データ作成手段と、通過管理データを、管理サーバ装置に送信する通過管理データ送信手段と、を備える管理装置であって、前記ネットワークカメラは、所定位置における画像を撮像して、画像データを画像メモリに記録する撮像手段と、画像メモリの画像データを取り出して、カメラを特定する情報を含む映像データを、作成する映像データ作成手段と、映像データを、管理サーバ装置に送信する映像データ作成送信手段と、を備えるカメラであって、前記管理サーバ装置は、入退場門を特定する情報とカメラを特定する情報とを対応付けた対応表を記憶する記憶手段と、カメラを特定する情報を含む映像データを、ネットワークカメラから受信して、記録する映像データ受信手段と、通過管理データを、入退場門管理装置から受信して、記録する通過管理データ受信手段と、所望の貸出品を特定する情報の入力を受け付けて、通過管理データを参照して、所望の貸出品を特定する情報を持つ通過管理データを選択する通過管理データ選択手段と、対応表を参照して、前記選択された通過管理データの入退場門を特定する情報に対応するカメラを特定する情報を選択して、これを持つ映像データを、記録された映像データから、抽出する映像データ抽出手段と、前記抽出された映像データを、前記選択された通過管理データの通過時刻から、直後の通過管理データの通過時刻までを、再生する映像データ再生手段と、を備えるサーバ装置であることを特徴とする映像を用いる貸出管理システムである。
【０００７】
ここで、所望の貸出品が、ある入退場門を通過して、次の入退場門を通過するまでの映像を再生することで、貸出品の利用状況を、映像で確認することが可能である。
【０００８】
請求項２の発明は、ＩＣカードと、入退場門を特定する情報とカメラを特定する情報とを対応付けた対応表と、を利用する、映像を用いた貸出管理方法であって、貸出品を特定する情報を含む貸出データを作成して、ＩＣカードに記録する貸出データ作成記録ステップと、ＩＣカードの貸出データを用いて、入退場門を特定する情報と通過時刻と貸出品を特定する情報とを含む通過管理データを作成する通過管理データ作成ステップと、カメラを特定する情報を含む映像データを、作成して、記録する映像データ作成記録ステップと、通過管理データを参照して、所望の貸出品を特定する情報を持つ通過管理データを選択する通過管理データ選択ステップと、対応表を参照して、前記選択された通過管理データの入退場門を特定する情報に対応するカメラを特定する情報を選択して、これを持つ映像データを、記録された映像データから、抽出する映像データ抽出ステップと、前記抽出された映像データを、前記選択された通過管理データの通過時刻から、直後の通過管理データの通過時刻までを、再生する映像データ再生ステップと、を含んだ手順でなされることを特徴とする映像を用いる貸出管理方法である。
【０００９】
請求項３の発明は、コンピュータに組込むことによって、コンピュータを請求項１に記載の映像を用いる貸出管理システムとして動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、貸出品の利用の様子を、映像で追跡確認して、行動を把握することができるので、貸出品の不正な利用を、発見することが可能となる。
【発明を実施するための最良の形態】
【００１２】
（実施例）
以下、図面等を参照しながら、本発明の実施の形態について、更に詳しく説明する。図１は、映像を用いる貸出管理システム１の概要を説明する図である。映像を用いる貸出管理システム１は、入退場門管理装置９００とネットワークカメラ５００と管理サーバ装置７００とがネットワーク接続されて、ＩＣカード１００と、貸出品保管庫３００と、から構成される。
【００１３】
ＩＣカード１００は、接触型、または、非接触型のＩＣカードである。ＩＣカード１００は、貸出品保管庫３００から貸出した貸出品の貸出データ３９９を記憶する。貸出品保管庫３００は、貸出データ３９９を記憶する。ネットワークカメラ５００は、設置された位置において常時撮影を行っており、撮影により得られた映像データ５９９を記憶するとともに、映像データ５９９を管理サーバ装置７００に送信する。入退場門管理装置９００は、通過管理データ９９９を記憶する。管理サーバ装置７００は、対応表７９１と、映像データ５９９と、通過管理データ９９９を記憶する。
【００１４】
貸出データ３９９は、“貸出品を特定する情報”を含むデータである。映像データ５９９は、ネットワークカメラ５００を特定するための“カメラを特定する情報５９９ａ”を含むデータである。対応表７９１は、“入退場門を特定する情報”と”カメラを特定する情報”とを対応付けた表データである。“入退場門を特定する情報”は、ネットワークカメラ５００を設置した部屋の入退場門を特定する情報である。通過管理データ９９９は、”入退場門を特定する情報”と”貸出品を特定する情報”と”通過時刻情報”とを含むデータである。
【００１５】
図２は、システム１の処理の流れを説明する図である。貸出品保管庫３００は、貸出品が貸し出されたら、貸出品を特定する情報を含む貸出データ３９９を作成して、ＩＣカード１００に送信する（図２（１））。ＩＣカード１００は、貸出品保管庫３００から、貸出データ３９９を受信して、記憶手段１９０に記録する（同（２））。
【００１６】
貸出品保管庫３００は、貸出品が返却された場合には、貸出品を特定する情報を含む削除データを作成して、ＩＣカード１００に送信する（同（３））。ＩＣカード１００は、貸出品保管庫３００から、削除データを受信して、削除データが指定する貸出データ３９９を、削除する（同（４））。したがって、貸出品保管庫３００から削除データを受信しない限りは、ＩＣカード１００は、貸出データ３９９を削除しない。
【００１７】
入退場門管理装置９００は、ＩＣカード１００に貸出データ送信要求を発行する（同（１１））。ＩＣカード１００は、入退場門管理装置９００から貸出データ送信要求を受信して、貸出データ３９９を返信する（１２）。
【００１８】
入退場門管理装置９００は、ＩＣカード１００から貸出データ３９９を受信して、これを用いて、入退場門を特定する情報と貸出品を特定する情報と通過時刻情報とを含む通過管理データ９９９を作成して、管理サーバ装置７００に送信する（同（１３））。
【００１９】
管理サーバ装置７００は、通過管理データ９９９を、入退場門管理装置９００から受信して、記録する（同（１４））。
【００２０】
ネットワークカメラ５００は、常時撮影を行っており、撮影した映像から映像データ５９９を作成して、管理サーバ装置７００に送信する（同（２１））。例えば、入退場門に設置されたネットワークカメラ５００は、入退場門を通過する人物を常時撮影し、この映像を送信することになる。管理サーバ装置７００は、ネットワークカメラ５００から、映像データ５９９を受信して記録する（同（２２））。
【００２１】
管理サーバ装置７００は、通過管理データ９９９を参照して、所望の貸出品を特定する情報を持つ通過管理データ９９９を選択する。
【００２２】
次に、管理サーバ装置７００は、記憶手段の中から、所望の貸出品が通過した入退場門を撮影した映像データ５９９を抽出する。つまり、管理サーバ装置７００は、対応表７９１を参照して、通過管理データ９９９の“入退場門を特定する情報”に対応する“カメラを特定する情報”を選択して、選択された“カメラを特定する情報５９９ａ”を持つ映像データ５９９を抽出する（同（３１））。
【００２３】
管理サーバ装置７００は、抽出した映像データ５９９のうち、通過管理データ９９９に記録されている通過時刻から、同一貸出品についての直後の通過時刻までの映像データを再生する（同（３２））。
【００２４】
図３は、映像を用いる貸出管理システム１の詳細な構成図である。映像を用いる貸出管理システム１は、入退場門管理装置９００とネットワークカメラ５００と管理サーバ装置７００とがネットワーク接続されて、接触型、または、非接触型ＩＣカード１００と、貸出品保管庫３００から構成される。
【００２５】
ＩＣカード１００は、貸出データ記録手段１１０と、貸出データ削除手段１２０と、貸出データ送信手段１３０と、記憶手段１９０を備える。記憶手段１９０は、貸出データ３９９を記憶する。
【００２６】
貸出データ３９９は、貸出品保管庫３００から貸出された貸出品を特定する情報を含むデータである。
【００２７】
貸出データ記録手段１１０は、貸出品保管庫３００から貸出データ３９９を受信して、記憶手段１９０に記録する。貸出データ削除手段１２０は、貸出品保管庫３００から削除データを受信して、削除データの“貸出品を特定する情報”をキーにして、記録された貸出データ３９９の“貸出品を特定する情報”を参照して、前記キーと一致する貸出品を含む貸出データ３９９を選択して削除する。貸出データ送信手段１３０は、貸出データ送信要求を受け付けて、前記記録された貸出データを、入退場門管理装置９００に送信する。
【００２８】
管理サーバ装置７００は、映像データ受信手段７１０と、通過管理データ受信手段７２０と、通過管理データ選択手段７３０と、映像データ抽出手段７４０と、映像データ再生手段７５０と、記憶手段７９０を備える。記憶手段７９０は、映像データ５９９と、通過管理データ９９９と、対応表７９１を記憶する。
【００２９】
映像データ５９９は、“カメラを特定する情報５９９ａ”を含むデータである。通過管理データ９９９は、“入退場門を特定する情報”と“貸出品を特定する情報”と“通過時刻情報”とを含むデータである。対応表７９１は、“入退場門を特定する情報”と“カメラを特定する情報”とを対応付けた表データである。
【００３０】
映像データ受信手段７１０は、“カメラを特定する情報５９９ａ”を含む映像データ５９９を、ネットワークカメラ５００から受信して記録する。通過管理データ受信手段７２０は、通過管理データ９９９を、入退場門管理装置９００から受信して、管理サーバ装置７００の記憶手段に記録する。
【００３１】
通過管理データ選択手段７３０は、所望の貸出品を特定する情報の入力を受け付けて、通過管理データ９９９を参照して、所望の貸出品を特定する情報を持つ通過管理データ９９９を選択する。
【００３２】
映像データ抽出手段７４０は、対応表７９１を参照して、前記選択された通過管理データ９９９の“入退場門を特定する情報”に対応する“カメラを特定する情報”を選択して、この“カメラを特定する情報”を持つ映像データ５９９を記憶手段から抽出する。
【００３３】
映像データ再生手段７５０は、前記抽出された映像データ５９９を、前記選択された通過管理データ９９９の通過時刻から、同一貸出品についての直後の通過管理データ９９９の通過時刻までを再生する。
【００３４】
ネットワークカメラ５００は、撮像手段５１０と、映像データ作成手段５２０と、映像データ送信手段５３０を備える。
【００３５】
撮像手段５１０は、設置された位置における画像を撮像して、画像データを画像メモリに記録する。映像データ作成手段５２０は、画像メモリの画像データを取り出して、“カメラを特定する情報５９９ａ”を含む映像データ５９９を作成する。映像データ送信手段５３０は、映像データ５９９を、管理サーバ装置７００に送信する。
【００３６】
入退場門管理装置９００は、ＩＣカード読取手段９１０と、通過管理データ作成手段９２０と、通過管理データ送信手段９３０を備える。
【００３７】
ＩＣカード読取手段９１０は、貸出データ送信要求を発行して、ＩＣカード１００から、貸出データ３９９を受信する。通過管理データ作成手段９２０は、受信した貸出データ３９９を用いて、“入退場門を特定する情報”と“貸出品を特定する情報”と“通過時刻情報”を含む通過管理データ９９９を作成する。通過管理データ送信手段９３０は、通過管理データ９９９を、管理サーバ装置７００に送信する。
【００３８】
貸出品保管庫３００は、貸出データ作成手段３１０と、削除データ作成手段３２０と、ＩＣカード書込手段３３０を備える。
【００３９】
貸出データ作成手段３１０は、利用者が貸出品保管庫３００から借りた貸出品を特定する情報を含む貸出データ３９９を作成する。削除データ作成手段３２０は、利用者が貸出品保管庫３００に返却した貸出品を特定する情報を含む削除データを作成する。ＩＣカード書込手段３３０は、ＩＣカード１００に、作成した貸出データ３９９を送信する。
【００４０】
貸出データ記録手段１１０と、貸出データ削除手段１２０と、貸出データ送信手段１３０と、貸出データ作成手段３１０と、削除データ作成手段３２０と、ＩＣカード書込手段３３０と、撮像手段５１０と、映像データ作成手段５２０と、映像データ送信手段５３０と、映像データ受信手段７１０と、通過管理データ受信手段７２０と、通過管理データ選択手段７３０と、映像データ抽出手段７４０と、映像データ再生手段７５０と、ＩＣカード読取手段９１０と、通過管理データ作成手段９２０と、通過管理データ送信手段９３０は、コンピュータプログラムにより実現される。貸出データ３９９と、映像データ５９９と、通過管理データ９９９と、対応表７９１は、コンピュータが可読なデータである。記憶手段１９０と、記憶手段７９０は、メモリである。
【００４１】
図４は、貸出データ３９９の形式を説明する図である。貸出データ３９９の項目は、貸出品を特定する情報と、貸出日時情報から構成される。貸出品を特定する情報は、文字列である。貸出日時情報は、日時である。
【００４２】
図５は、映像データ５９９の形式を説明する図である。映像データ５９９の項目は、カメラを特定する情報５９９ａと、フレーム情報５９９ｂと、フレーム画像データ５９９ｃから構成される。カメラを特定する情報５９９ａは、文字列である。フレーム情報５９９ｂは、撮影時刻情報を含む文字列である。フレーム画像データ５９９ｃは、ビットマップデータである。
【００４３】
図６は、対応表データ７９１の形式を説明する図である。対応表データ７９１の項目は、入退場門を特定する情報と、カメラを特定する情報から構成される。入退場門を特定する情報は、文字列である。カメラを特定する情報は、図５のカメラを特定する情報５９９ａと同じである。
【００４４】
図７は、通過管理データ９９９の形式を説明する図である。通過管理データ９９９は、利用者が貸出品を持って入退場門を通過したときの記録である。通過管理データ９９９の項目は、入退場門を特定する情報と、貸出品を特定する情報と、通過時刻情報から構成される。入退場門を特定する情報は、図６の入退場門を特定する情報と同じである。貸出品を特定する情報は、図４の貸出品を特定する情報と同じである。通過時刻情報は、日時である。
【００４５】
図８は、特定の貸出品について撮影された映像データ５９９を抽出する手順を説明する図である。所望の貸出品を特定する情報が「DocumentS674」である貸出品が、入退場門９００「GATE003」と入退場門９００「GATE006」との間にあるときの映像を再生する場合の映像を再生する手順を例示する。
【００４６】
映像データ抽出手段７４０は、貸出品を特定する情報が「DocumentS674」で選択された所望の貸出品の通過管理データ９９９の中から、入退場門を特定する情報が「GATE003」を選択して、これをキーにして、対応表データ７９１の入退場門を特定する情報を参照する（図８（１））。
【００４７】
映像データ抽出手段７４０は、キー（「GATE003」）と一致する対応表データ７９１の入退場門を特定する情報「GATE003」に対応するカメラを特定する情報「C7675」を読み取って、これをキーにして、映像データ５９９のカメラを特定する情報５９９ａを参照して、キー（「C7675」）と一致する映像データ５９９のカメラを特定する情報５９９ａ「C7675」を持つ映像データ５９９を抽出する(同（２）)。
【００４８】
映像データ抽出手段７４０は、入退場門を特定する情報が「GATE003」である通過管理データ９９９の通過時刻情報「200.05.18.12:01」を読み取って、これをキーにして、画像データ５９９のフレーム情報（＝撮影時刻）５９９ｂを参照して、キー（「200.05.18.12:01」）と一致する撮影時刻５９９ｂ「200.05.18.12:01」のフレーム画像データを、再生開始用フレーム画像データとして選択する(同（３）)。
【００４９】
映像データ抽出手段７４０は、入退場門を特定する情報が「GATE003」の直後の通過管理データ９９９の通過時刻情報「200.05.18.12:31」を選択して読み取って、これをキーにして、画像データ５９９のフレーム情報（＝撮影時刻）５９９ｂを参照して、キー（「200.05.18.12:31」）と一致する撮影時刻５９９ｂ「200.05.18.12:31」のフレーム画像データを、再生終了用フレーム画像データとして選択する(同（４）)。
【００５０】
映像データ再生手段７５０は、再生開始用フレーム画像データと、再生終了用フレーム画像データの間の各フレーム画像データを用いて、映像を再生する。
【００５１】
以上詳しく説明したように、本願発明によれば、貸出品の利用の様子を、映像で追跡確認して、行動を把握することができるので、貸出品の不正な利用を、発見することができた。
【図面の簡単な説明】
【００５２】
【図１】映像を用いる貸出管理システム１の概要を説明する図である。
【図２】映像を用いる貸出管理システム１の処理の流れを説明する図である。
【図３】映像を用いる貸出管理システム１の詳細な構成図である。
【図４】貸出データ３９９の形式を説明する図である。
【図５】映像データ５９９の形式を説明する図である。
【図６】対応表データ７９１の形式を説明する図である。
【図７】通過管理データ９９９の形式を説明する図である。
【図８】映像データ５９９を抽出する手順を説明する図である。
【符号の説明】
【００５３】
１  映像を用いる貸出管理システム
１００  ＩＣカード
１１０  貸出データ記録手段
１２０  貸出データ削除手段
１３０  貸出データ送信手段
１９０  記憶手段
３００  貸出品保管庫
３１０  貸出データ作成手段
３２０  削除データ作成手段
３３０  ＩＣカード書込手段
３９９  貸出データ
５００  ネットワークカメラ
５１０  撮像手段
５２０  映像データ作成手段
５３０  映像データ送信手段
５９０  記憶手段
５９９  映像データ
５９９ａ  カメラを特定する情報
５９９ｂ  フレーム情報
５９９ｃ  フレーム画像データ
７００  管理サーバ装置
７１０  映像データ受信手段
７２０  通過管理データ受信手段
７３０  通過管理データ選択手段
７４０  映像データ抽出手段
７５０  映像データ再生手段
７９０  記憶手段
７９１  対応表
９００  入退場門管理装置
９１０  ＩＣカード読取手段
９２０  通過管理データ作成手段
９３０  通過管理データ送信手段
９９９  通過管理データ
【図１】
2008009974.tif 000003
【図２】
2008009974.tif 000004
【図３】
2008009974.tif 000005
【図４】
2008009974.tif 000006
【図５】
2008009974.tif 000007
【図６】
2008009974.tif 000008
【図７】
2008009974.tif 000009
【図８】
2008009974.tif 000010